(57)【要約】      （修正有）【課題】前後に同じ受電用端子及び接続端子を有する前記モジュールカートリッジとを接続固定させるものには接続強度的に不安があり、かつそれが原因の通電不良といった問題があった。【解決手段】直管型ＬＥＤランプ２が有する受電用端子１３が装着される側の樹脂製エンドパーツ筒体４の内側に電磁誘導式の送電ユニット９を配置させ、かつ樹脂製エンドパーツ筒体４の外側には直角に円筒状に落ち込んだ有底凹部があって、ここに電磁誘導式の送電ユニット９から無線で受電して機能する各種受電ユニット１０を内部に納めたプラグ型ワイヤレスモジュールカートリッジ３を着脱可能にした。さらにはプラグ型ワイヤレスモジュールカートリッジ３を差し込み軽く回転させると固定できるように係止構１１及び係止用突起１２を有する。、先端カバー１４は、各種受電ユニットの出力特徴に合せて変えることもできる。【選択図】図１
2020064748.tif 000002
【特許請求の範囲】
【請求項１】
直管型ＬＥＤランプにおいて、駆動用の商用交流の受電用端子が装着される樹脂製エンドパーツ筒体の内部に電磁誘導式の送電ユニットが配置されており、かつ前記樹脂製エンドパーツ筒体の外側には直角に円筒状に落ち込んだ有底凹部があって、ここに前記電磁誘導式の送電ユニットから受電して機能する各種モジュールユニットを内部に納めたプラグ型ワイヤレスモジュールカートリッジを着脱し得るようにしたプラグ型ワイヤレスモジュールカートリッジを有する直管型ＬＥＤランプ。
【請求項２】
前記プラグ型ワイヤレスモジュールカートリッジを差し込みかつ回転させると係止溝に固定され正確に無線受電できる請求項１記載のプラグ型ワイヤレスモジュールカートリッジを有する直管型ＬＥＤランプ。
【請求項３】
前記プラグ型ワイヤレスモジュールカートリッジの先端カバーが前記各種モジュールユニットの出力特徴に合せて換えられるように構成された請求項１記載のプラグ型ワイヤレスモジュールカートリッジを有する直管型ＬＥＤランプ。
【発明の詳細な説明】
【技術分野】
【０００１】
電磁誘導方式のワイヤレスモジュールカートリッジを直管型ＬＥＤランプに安全に着脱交換できるようにして照明以外の機能を付与させる直管型ＬＥＤランプに関するものである。
【背景技術】
【０００２】
従来、前記モジュールカートリッジを直管型ＬＥＤランプに直線的に接続して照明以外の機能を付与させる蛍光灯及び直管型ＬＥＤランプに関する技術は幾つか存在した。代表例を挙げればこのようなものがある。標準的な蛍光灯と同長の直管型ＬＥＤランプを通常の長さより前記モジュールカートリッジの長さ分だけ縮減した専用の直管型ＬＥＤランプと、前後に同じ受電用ピン端子及び接続端子を有する前記モジュールカートリッジとを接続固定させるものであった。この発想は、直管型ＬＥＤランプをまず蛍光灯器具に使用できるように技術開発をしてきた流れともいえ、付与するモジュールの代表的なものにマイナスイオン発生ユニット及び停電時でも一定時間点灯可能にするための充電ユニット、各種無線センサーなどがあった。
【０００３】
この場合、前記モジュールカートリッジを直線的に着脱固定する手段として、従来の蛍光灯同様の受電用ピン端子の係止力のみならず前記モジュールカートリッジと前記専用の直管型ＬＥＤランプの接続部分とを相互に螺合もしくは樹脂部材のテンションを利用して嵌め込むなど容易に外れないような物理的係止がとられていた。
【０００４】
但し、この手段には短所もあった。長さ方向で接続する前記モジュールカートリッジであるためこれに合わせて縮減した前記専用の直管型ＬＥＤランプを必要とした点と、更にはどうしても接続強度は一体化された従来の直管型ＬＥＤランプよりは低く、特に従来の蛍光灯器具のソケットに着脱する時に掛かる外力によっては前記モジュールカートリッジと接続された前記専用の直管型ＬＥＤランプの接続部分の通電不良を起こす可能性もあり、又、地震によって加えられる外力も同様に前記モジュールカートリッジの強度を損ないかつ通電不良を起こしえた。更には空気に触れる接続部分が増えるので湿気などによる錆や腐食による通電不良の心配もあった。
【先行技術文献】
【特許文献】
【０００５】
【特許文献１】特許第６０１０８１８号
【発明の開示】
【課題を解決するための手段】
【０００６】
背景技術で触れたように、従来の蛍光灯と同長の直管型ＬＥＤランプを通常の長さより前記モジュールカートリッジの長さ分だけ縮減した専用の直管型ＬＥＤランプと、前後に同じ受電用ピン端子及び接続端子を有する前記モジュールカートリッジとを接続固定させるものには接続強度に不安があり、かつそれが原因の通電不良といった問題があった。これらの課題を解決するために、本発明では、前記モジュールカートリッジを前記専用の直管型ＬＥＤランプに長さ方向に接続するのではなく、前記商用交流の受電用端子が装着される前記樹脂製エンドパーツ筒体の内側に電磁誘導式の送電ユニットを配置し、かつ前記電磁誘導式の送電ユニットから受電して機能する前記モジュールユニットを内部に納めたプラグ型ワイヤレスモジュールカートリッジを前記樹脂製エンドパーツ筒体の横にある有底の凹部に着脱し得るようにした。いわゆるプラグインカートリッジ方式にする。
【０００７】
前記プラグ型ワイヤレスモジュールカートリッジを差し込みかつ回転させて螺合する。
【０００８】
前記プラグ型ワイヤレスモジュールカートリッジの先端部分が前記各種モジュールユニットの出力特徴に合せて例えば、前記充電バッテリーとLEDとの非常灯ユニットならば透光性のある素材に交換、又は前記マイナスイオン及びオゾン放出ユニットならばそれらを放出できるスリットや穴を有する部材に置き換える。
【発明の効果】
【０００９】
本発明における直管型ＬＥＤランプの構造は、従来の技術のような直線的に連結するのではなく前記樹脂製エンドパーツ筒体の横から着脱するいわゆる前記プラグインカートリッジ方式の構造なので、管体の強度低下を避けることができ、又、前記モジュールカートリッジがワイヤレスの電磁誘導方式の給電システムを採用するので金属端子の接触不良から起こるトラブルを防止できる。又、ワイヤレスなので前記直管型ＬＥＤランプの本来的な密閉度が保たれ、周囲環境の変化を受けにくい効果がある。
【００１０】
又、前記したように横から挿入するいわゆる前記プラグインカートリッジ方式なのでＬＥＤランプの発光部の長さに与える影響は最小限に抑えるメリットがある。
【００１１】
更には、前記いわゆるプラグインカートリッジ方式は基本的に円筒形なので、接合部に簡易な螺合構造を施すことが可能である。
【００１２】
前記プラグ型ワイヤレスモジュールカートリッジの先端部分だけを前記各種モジュールユニットの出力特徴に合せて透明な素材や別構造の部材に交換できるようになるので製品展開上合理的である。
【００１３】
前記プラグ型ワイヤレスモジュールカートリッジに内蔵される前記各種モジュールユニットはAIつまり人工知能の進化に委ねられるが、現在はまだ利用されていない機能を誘発する効果もある。
【発明を実施するための最良の形態】
【００１４】
本発明の実施例を図１から図5に基づき説明する。
【００１５】
図１は、本発明のプラグ型ワイヤレスモジュールカートリッジ1を有す直管型ＬＥＤランプ1の構造を斜視で示す模式図で、無線の送受電システムの位置関係と着脱方法を主として説明している。図では断面が丸型の直管型ＬＥＤランプ2を例示しているが直管型ＬＥＤランプ2の断面は丸型でも楕円型或いは角型でも又はそれ以外の形状でも構わない。
【００１６】
駆動用の商用交流の受電用端子13が装着される前記樹脂製エンドパーツ筒4の内部に電磁誘導式の前記送電ユニット9が配置されているが、前記樹脂製エンドパーツ筒体4の外部から無線で受電する前記プラグ型ワイヤレスモジュールカートリッジ3に効果的に送電できるように配置する。このため前記樹脂製エンドパーツ筒体4の外側には直角に円筒状に落ち込んだ有底凹部5を設け、ここに前記電磁誘導式の送電ユニット9から受電して機能する前記各種モジュールユニットを内部に納めたプラグ型ワイヤレスモジュールカートリッジ3を着脱し得るように構成する。半回転程度でもしっかり固定できるような構造が望ましい。ＬＥＤランプ駆動用の回路と電磁誘導式の送電ユニット回路はスペース面から一体の回路基板が望ましい。斜視図では回路基板は省略してある。
【００１７】
図２は図１の実施例の完成外観を示したもの。
【００１８】
図３はワイヤレスの電磁誘導方式の給電システムを断面等で示す模式図である。前記樹脂製エンドパーツ筒体4の内部にある電磁誘導式の前記送電ユニット9のコイルと前記プラグ型ワイヤレスモジュールカートリッジ3の受電ユニット10のコイルは樹脂を介するが極力近付けるようにする。
【００１９】
図４はマイナスイオン及びオゾン放出ユニット15を前記モジュールカートリッジとした実施例を斜視で示した模式図で、モジュールは交流を用いて陰極針16から放電させる。カバーは指が入らない大きさの放散孔17を持つ。
【００２０】
図５はＬＥＤの非常灯ユニット18をモジュールカートリッジとした実施例を斜視で示している。充電はリチウムイオン電池を用いるが、停電時に2時間程度点灯できる能力を持たせる。
【００２１】
この他に、各種モジュールカートリッジ例えば小型の人感センサーや監視カメラなども搭載できるが実施例では示さない。
【産業上の利用可能性】
【００２２】
本発明は前記直管型ＬＥＤランプに高度な機能的多様性を与えることができるが、例えばマイナスイオン発生機能や非常灯のみならず今後AI応用製品としても可能性が有り、広く社会に提供できる。
【図面の簡単な説明】
【００２３】
【図１】本発明のプラグ型ワイヤレスモジュールカートリッジを有す直管型ＬＥＤランプの構造を斜視で示す模式図である。
【図２】プラグ型ワイヤレスモジュールカートリッジを直管型ＬＥDランプに装着したときの形態を示す斜視図である。
【図３】本発明のワイヤレスの電磁誘導方式の給電システムを断面等で示す模式図である。
【図４】本発明のマイナスイオン及びオゾン放散ユニットをモジュールカートリッジとした実施例を斜視で示す模式図である。
【図５】本発明の充電バッテリーとLEDとの非常灯ユニットをモジュールカートリッジとした実施例を斜視で示す模式図である。
【符号の説明】
【００２４】
１  プラグ型ワイヤレスモジュールカートリッジを有する直管型ＬＥＤランプ
２  直管型ＬＥＤランプ
３  プラグ型ワイヤレスモジュールカートリッジ
４  樹脂製エンドパーツ筒体
５  直角に円筒状に落ち込んだ有底凹部
６  LED素子及び基板
７  放熱体
８  LED保護カバー
９  送電ユニット
１０  受電ユニット
１１  係止溝
１２  係止用突起
１３  受電用端子
１４  先端カバー
１５  マイナスイオン及びオゾン放出ユニット
１６  陰極針
１７  放散孔
１８  ＬＥＤの非常灯ユニット
【図１】
2020064748.tif 000003
【図２】
2020064748.tif 000004
【図３】
2020064748.tif 000005
【図４】
2020064748.tif 000006
【図５】
2020064748.tif 000007